(57)【要約】【課題】片手で操作できるミシン目等から破断可能なロールペーパーホルダーである。【解決手段】ロールペーパーホルダーの上部カバー（２）に形成の排出口（２０）を挿通し、指でペーパー（２８）を狭着して引っ張ったとき、上部カバー（２）でロールペーパー（Ｐ）の回転を阻止すると共に、ペーパーが接触する排出口の支持部（２０ａ）の形状をペーパー（２８）が左右方向に移動しない形状にする。【選択図】図１
2013078408.tif 000002
【特許請求の範囲】
【請求項１】
回転可能なロールペーパーと揺動可能で前記ロールペーパーの上に載置可能な上部カバーを有するロールペーパーホルダーであって、
前記ロールペーパーのペーパーにはミシン目が形成され、
前記上部カバーの前側に前記ペーパーを支持する支持部を形成し、
指で狭着されたペーパーを引っ張ったとき、前記ペーパーが引張り力を受ける前記支持部でペーパーは破断されず、且つ、その支持部においてロールペーパーの回転を阻止することを特徴とするロールペーパーホルダー。
【請求項２】
回転可能なロールペーパーと揺動可能で前記ロールペーパーの上に載置可能な上部カバーを有するロールペーパーホルダーであって、
前記ロールペーパーのペーパーにはミシン目が形成され、
ロールペーパーの下流側に前記ペーパーを支持する支持部を形成し、
前記上部カバーでロールペーパーの回転阻止を図り、
指で狭着されたペーパーを引っ張ったとき、前記ペーパーが引張り力を受ける前記支持部でペーパーは破断されずにミシン目で破断することを特徴とするロールペーパーホルダー。
【請求項３】
回転可能に取りけられたロールペーパーを備えるロールペーパーホルダーであって、
前記ロールペーパーのペーパーにはミシン目が形成され、
前記ロールペーパーのペーパーを支持する支持部をロールペーパーの下流側に設けると共に、その支持部に隣接してペーパーと接触可能な抵抗体を備え、
指で狭着されたペーパーを引っ張ったとき、前記ペーパーが引張り力を受ける前記支持部でペーパーは破断されずにミシン目で破断することを特徴とするロールペーパーホルダー。
【請求項４】
請求項１から請求項３のいずれか１項のロールペーパーホルダーであって、
引っ張られたペーパーにより引張り力を受ける支持部の形状を、直線状又は凸状の弓形状又は排出口の中心に向けて直線状に順次高くなる形状或いは波形状を有していることを特徴とするロールペーパーホルダー。
【請求項５】
請求項１から請求項３のいずれか１項のロールペーパーホルダーであって、
支持部の形状を、排出口の左端部から、又は、右端部から、排出口の中心に向けて、傾斜角度θで、凸状の弓形状又は直線状に順次高くなるように或いは波形状に形成されていることを特徴とするロールペーパーホルダー。
【請求項６】
請求項１から請求項３のいずれか１項のロールペーパーホルダーであって、
排出口の中心における支持部の形状を凸状の弓形状或いは波形状であることを特徴とするロールペーパーホルダー。
【請求項７】
請求項１から請求項３のいずれか１項のロールペーパーホルダーであって、排出口の左端部から右端部における支持部の全体形状を凸状の弓形状或いは波形状であることを特徴とするロールペーパーホルダー。
【請求項８】
請求項１から請求項７のいずれか１項のロールペーパーホルダーであって、
支持部の下流に切断刃を配置することを特徴とするロールペーパーホルダー。
【請求項９】
回転可能なロールペーパーと揺動可能で前記ロールペーパーの上に載置可能な上部カバーを有し、
前記ロールペーパーのペーパーにはミシン目が形成され、
前記上部カバーの前側に前記ペーパーを支持する支持部を形成し、
指で狭着されたペーパーを引っ張ったとき、前記ペーパーが引張り力を受ける前記支持部でペーパーは破断されず、
前記排出口を挿通のペーパーを一気に強く引っ張ることによって、ミシン目から破断するロールペーパーの破断方法であって、
（ａ）必要長さのペーパーを前記排出口から引っ張り出して、ペーパーを狭着の指と支持部との間に１個のミシン目があるように調整し、
（ｂ）指で狭着のペーパーを一気に強く引っ張ることによって、上部カバーの押圧によってロールペーパーの回転は阻止されてミシン目で破断するロールペーパーの破断方法。
【請求項１０】
回転可能なロールペーパーと揺動可能で前記ロールペーパーの上に載置可能な上部カバーを有し、
前記ロールペーパーのペーパーにはミシン目が形成され、
ロールペーパーホルダーの下流に前記ペーパーを支持する支持部を形成し、
前記上部カバーでロールペーパーの回転阻止を図り、
指で狭着されたペーパーを引っ張ったとき、前記ペーパーが引張り力を受ける前記支持部でペーパーは破断されず、且つ、その支持部の形状をペーパーが左右方向に移動しない形状であり、
前記排出口を挿通のペーパーを一気に強く引っ張ることによって、ミシン目から破断するロールペーパーの破断方法であって、
（ａ）必要長さのペーパーを前記排出口から引っ張り出して、ペーパーを狭着の指と支持部との間に１個のミシン目があるように調整し、
（ｂ）指で狭着のペーパーを一気に強く引っ張ることによって、前記ペーパーを支持する支持部において、左右方向に移動しない状態で引っ張ってミシン目で破断するロールペーパーの破断方法。
【請求項１１】
回転可能なロールペーパーを備え、
前記ロールペーパーのペーパーにはミシン目が形成され、
前記ロールペーパーのペーパーを支持する支持部をロールペーパーの下流側に設けると共に、支持部にペーパーと接触可能な抵抗体を備え、
指で狭着されたペーパーを引っ張ったとき、前記ペーパーが抵抗体に接触すると共に、前記ペーパーが引張り力を受ける前記支持部でペーパーは破断されず、且つ、その支持部の形状をペーパーが左右方向に移動しない形状であり、
前記排出口を挿通のペーパーを一気に強く引っ張ることによって、ミシン目から破断するロールペーパーの破断方法であって、
（ａ）必要長さのペーパーを前記排出口から引っ張り出して、ペーパーを狭着の指と支持部との間に１個のミシン目があるように調整し、
（ｂ）指で狭着のペーパーを一気に強く引っ張ることによって、抵抗体によってロールペーパーの回転は阻止され、
（ｃ）前記ペーパーを支持する支持部において、左右方向に移動しない状態で引っ張ってミシン目で破断するロールペーパーの破断方法。
【請求項１２】
請求項９から請求項１１のいずれか１項のロールペーパーの破断方法であって、
引っ張られたペーパーにより引張り力を受ける支持部の形状を、直線状又は凸状の弓形状又は排出口の中心に向けて直線状に順次高くなる形状或いは波形状を備えていることを特徴とするロールペーパーの破断方法。
【請求項１３】
請求項９から請求項１１のいずれか１項のロールペーパーの破断方法であって、
支持部の形状を、排出口の左端部から、又は、右端部から、排出口の中心に向けて、傾斜角度θで、凸状の弓形状又は直線状に順次高くなるように或いは波形状に形成されていることを特徴とするロールペーパーの破断方法。
【請求項１４】
請求項９から請求項１１のいずれか１項のロールペーパーの破断方法であって、
排出口の中心における支持部の形状を凸状の弓形状或いは波形状であることを特徴とするロールペーパーの破断方法。
【請求項１５】
請求項９から請求項１１のいずれか１項のロールペーパーの破断方法であって、排出口の左端部から右端部における支持部の全体形状を凸状の弓形状或いは波形状であることを特徴とするロールペーパーの破断方法。
【請求項１６】
請求項９から請求項１５のいずれか１項のロールペーパーの破断方法であって、支持部の下流に切断刃を配置することを特徴とするロールペーパーの破断方法。
【発明の詳細な説明】
【技術分野】
【０００１】
本発明は、片手で操作できるミシン目等から破断可能なロールペーパーホルダー及びこのホルダーを使用してペーパーを破断する方法に関する。
【背景技術】
【０００２】
従来、特許文献１には、自由回転するロールペーパーが取り付けてあるホルダーにおいて、そのロール紙の上を覆うカバーに排出口が設けてあると共に、そのカバーの先端部に切断刃が設けてある。そして、その排出口にロール紙を挿通させて、片手でロール紙を引っ張ると前記切断刃で切断される。
また、切断刃を備える同様なホルダーとして、特許文献２、特許文献３、特許文献４がある。
また、特許文献５には、切断刃を備えていなくて、蓋の前端を刃形にして、ロールペーパーを引っ張ると、蓋がロールペーパーを押さえて、前記刃形と指で狭着のペーパーの間に形成されているミシン目で破断可能なホルダーが開示してある。
【０００３】
【特許文献１】特開２００６−１４１９２１号公報
【特許文献２】特開２００４−３２９８１５号公報
【特許文献３】特開２００５−３１２８７４号公報
【特許文献４】特開２００５−２７９１５６号公報
【特許文献５】特開２００６−１４１９７４号公報
【発明の概要】
【発明が解決しようとする課題】
【０００４】
前記の従来の特許文献１、特許文献２、特許文献３、特許文献４に開示のホルダーは、ロール紙を破断するに当たって、片手で操作が可能であるが、切断刃を備えている。
また、特許文献５に開示のホルダーは、ペーパーを片方の指で挟着して、ペーパーをほぼ長手方向と平行に引っ張る場合には、ロールペーパーは蓋の前端が押さえられて回転が阻止され、ミシン目から破断される場合がある。
しかし、このように引っ張ることは稀であり、多くの場合、少し右下方向、あるいは、左下方向の傾斜状に引っ張ることが多い。このように傾斜下方向にペーパーを引っ張ると、蓋の前端によって押さえられてロールペーパーの回転は阻止されて、ミシン目から破断されずに、蓋の前端の刃形で破断される。
【０００５】
そこで、本願発明は、片手で、ペーパーを引っ張ることによって、ミシン目が形成されているロールペーパーに対しては、切断刃を備えることなく、ミシン目で破断できるホルダーを提供すると共に、そのホルダーを使用してミシン目から破断する破断方法を提供する。
また、切断刃を備えることによって、ミシン目がないロール状のペーパーや樹脂フィルム等に適用できるロールペーパーホルダーを提供する。
【課題を解決するための手段】
【０００６】
請求項１のロールペーパーホルダーは回転可能なロールペーパーを備えていると共に、揺動可能で前記ロールペーパーの上に載置可能な上部カバーを有している。また、前記ロールペーパーのペーパーにはミシン目が形成されていると共に、前記上部カバーの前側にはペーパーを支持する支持部が形成されている。そして、指で狭着されたペーパーを引っ張ったとき、前記ペーパーが引張り力を受ける前記支持部でペーパーは破断されず、且つ、その支持部においてロールペーパーの回転を阻止する。そのため、ペーパーは支持部で支持された状態になり、支持部と指との間の弱いミシン目で破断される。
【０００７】
また、請求項２のロールペーパーホルダーは回転可能なロールペーパーと揺動可能なロールペーパーの上に載置可能な上部カバーを有する。また、ロールペーパーのペーパーにはミシン目が形成され、ロールペーパーの下流には前記ペーパーを支持する支持部が形成されている。また、前記上部カバーはロールペーパーの回転阻止を図っている。そのため、指で狭着されたペーパーを引っ張ったとき、ペーパーは引張り力を受ける前記支持部で破断されない形状であるので、ペーパーは支持部で支持された状態になり、支持部と指との間の弱いミシン目で破断される。
【０００８】
また、請求項３のロールペーパーホルダーは回転可能なロールペーパーを備えている。また、前記ロールペーパーのペーパーにはミシン目が形成されている。また、このロールペーパーホルダーには前記ロールペーパーのペーパーを支持する支持部をロールペーパーの下流側に設けると共に、その支持部にペーパーと接触可能な抵抗体を備えている。そのため、指で狭着されたペーパーを引っ張ったとき、前記ペーパーが抵抗体に接触してロールペーパーの回転する引っ張り力は弱まり、回転は阻止されると共に、ペーパーは支持部で支持されて、支持部と指との間の弱いミシン目で破断される。
【０００９】
請求項４のロールペーパーホルダーは、請求項１から請求項３のいずれか１項のロールペーパーホルダーであって、引っ張られたペーパーにより引張り力を受ける支持部の形状を、直線状又は凸状の弓形状又は排出口の中心に向けて直線状に順次高くなる形状或いは波形状を有している。尚、この「有している」とは必ずしも支持部の全体である必要はないということを意味する。
このように、引っ張られたペーパーによる引張り力を受ける箇所の支持部の形状が凸状の弓形状等であると、支持部におけるペーパーは左右方向に移動することなく、ペーパーが支持部で支持された状態になり、支持部と指との間の弱いミシン目で破断される。
【００１０】
また、請求項５のロールペーパーホルダーは、請求項１から請求項３のいずれか１項のロールペーパーホルダーであって、支持部の形状を、その排出口の左端部から、又は、右端部から、排出口の左右方向の中心に向けて、傾斜角度θで、凸状の弓形状又は直線状に順次高くなるように或いは波形状に形成されている。
このように、排出口の端部からの支持部の形状によって、ペーパーの端部を指で狭着して、右下あるいは左下方向に引っ張っても、支持部で接触するペーパーは左右方向に移動することなく、ペーパーが支持部で支持された状態になり、支持部と指との間の弱いミシン目で破断される。
【００１１】
請求項６のロールペーパーホルダーは、請求項１から請求項３のいずれか１項のロールペーパーホルダーであって、排出口の中心における支持部の形状を、凸状の弓形状或いは波形状である。このような形状によって、ペーパーのほぼ中心を指で狭着して、ペーパーの長手方向とほぼ平行に、一気に強く引っ張っても、支持部におけるペーパーは左右方向に移動することなく、ペーパーは支持部で支持された状態になり、支持部と指との間の弱いミシン目で破断される。
【００１２】
請求項７のロールペーパーホルダーは、請求項１から請求項３のいずれか１項のロールペーパーホルダーであって、排出口の左端部から右端部における支持部の全体形状を凸状の弓形状或いは波形状であると、ペーパーを指で狭着して、右下方向、左下方向及びほぼペーパーの長手方向と平行に、一気に強く引っ張っても、排出口の支持部におけるペーパーは左右方向に移動することなく、ペーパーは支持部で支持された状態になり、支持部と指との間の弱いミシン目で破断される。
【００１３】
請求項８のロールペーパーホルダーは、請求項１から請求項７のいずれか１項のロールペーパーホルダーであって、支持部の下流に切断刃を配置することによって、支持部で支持された状態で、ミシン目が形成されていないペーパーや樹脂フィルムに対して、切断刃で切断される。
【００１４】
請求項９の発明は方法の発明であり、ロールペーパーホルダーには回転可能なロールペーパーを備えていると共に揺動可能で前記ロールペーパーの上に載置可能な上部カバーを有している。また、前記ロールペーパーのペーパーにはミシン目が形成されていると共に、前記上部カバーの前側には支持部が形成されていて、その支持部の形状は、指でペーパーを狭着して引っ張ったとき、前記ペーパーが引張り力を受ける前記支持部では破断しない形状である。
そして、（ａ）上部カバーの前方側に形成の排出口からロールペーパーを挿通し、必要長さのペーパーを引っ張り出して、ペーパーを狭着の指と支持部との間に１個のミシン目があるように調整する。そして、（ｂ）指で狭着のペーパーを一気に強く引っ張ることによって、上部カバーの押圧によってロールペーパーの回転は阻止される。（ｃ）また、指でペーパーを狭着して引っ張ったときには、ペーパーが引張り力を受ける支持部で支持されて、支持部と指との間の弱いミシン目で破断される。
【００１５】
請求項１０の発明は方法の発明であり、ロールペーパーホルダーには回転可能なロールペーパーを備えていて、前記ロールペーパーのペーパーにはミシン目が形成されている。また、ロールペーパーホルダーの下流に支持部が形成され、前記上部カバーでロールペーパーの回転阻止を図っている。このロールペーパーの回転阻止を図るのは、上部カバーの重みや、上部カバーをネジリコイルバネによる押さえる付勢力による。
また、指で狭着されたペーパーを引っ張ったとき、ペーパーは引張り力を受ける前記支持部では破断しない形状である。
そして、（ａ）必要長さのペーパーを前記排出口から引っ張り出して、ペーパーを狭着の指と支持部との間に１個のミシン目があるように調整し、
（ｂ）指で狭着のペーパーを一気に強く引っ張ることによって、前記ペーパーが接触する支持部において支持され、支持部と指との間の弱いミシン目で破断される。
【００１６】
請求項１１の発明は方法の発明であり、ロールペーパーホルダーには回転可能なロールペーパーを備えている。また、前記ロールペーパーのペーパーにはミシン目が形成されている。また、このロールペーパーホルダーには前記ロールペーパーを支持する支持部を前記ロールペーパーの下流に設けると共に、その支持部にペーパーと接触可能な抵抗体を備えている。
また、指で狭着されたペーパーを引っ張ったとき、ペーパーは引張り力を受ける前記支持部で破断しない形状である。
そこで、先ず、（ａ）必要長さのペーパーを前記排出口から引っ張り出して、ペーパーを狭着の指と支持部との間に１個のミシン目があるように調整し、（ｂ）指で狭着のペーパーを一気に強く引っ張ることによって、前記ペーパーが抵抗体に接触してロールペーパーの回転する引っ張り力は弱まり、回転は阻止され、（ｃ）前記ペーパーが接触する支持部において支持されて、支持部と指との間の弱いミシン目で破断される。
【００１７】
請求項１２の発明は方法の発明であり、請求項９から請求項１１のいずれか１項のロールペーパーの破断方法であって、引っ張られたペーパーにより引張り力を受ける支持部の形状を、直線状又は凸状の弓形状又は排出口の中心に向けて直線状に順次高くなる形状或いは波形状を備えているので、支持部と指との間の弱いミシン目で破断される。
【００１８】
請求項１３の発明は方法の発明であり、請求項９から請求項１１のいずれか１項のロールペーパーの破断方法であって、支持部の形状を、排出口の左端部から、又は、右端部から、排出口の中心に向けて、傾斜角度θで、凸状の弓形状又は直線状に順次高くなるように或いは波形状に形成されていることによって、支持部と指との間の弱いミシン目で破断される。
【００１９】
請求項１４の発明は方法の発明であり、請求項９から請求項１１のいずれか１項のロールペーパーの破断方法であって、排出口の中心における支持部の形状を凸状の弓形状或いは波形状であることによって、支持部と指との間の弱いミシン目で破断される。
【００２０】
請求項１５の発明は方法の発明であり、請求項９から請求項１１のいずれか１項のロールペーパーの破断方法であって、排出口の左端部から右端部における支持部の全体形状を凸状の弓形状或いは波形状であることによって、支持部と指との間の弱いミシン目で破断される。
【００２１】
請求項１６の発明は方法の発明であり、請求項９から請求項１５のいずれか１項のロールペーパーの破断方法であって、支持部の下流に切断刃を配置することによって、支持部の下流に切断刃を配置することによって、支持部で支持された状態で、ミシン目が形成されていないペーパーや樹脂フィルムに対して、切断刃で切断される。
【発明の効果】
【００２２】
本願発明は、ミシン目があるロールペーパーに対して、ペーパーを引っ張ることによって、ミシン目から破断することができる。
【図面の簡単な説明】
【００２３】
【図１】ロールペーパーホルダーの全体図である。
【図２】上部カバーに形成の排出口の平面図である。
【図３】排出口から排出のペーパーをミシン目で破断する作用図である。
【図４】上部カバーに形成の他の形状の排出口の平面図である。
【図５】上部カバーに形成の種々の形状の排出口とペーパーとの関係を示す図である。
【図６】他の構成のロールペーパーホルダーの全体図である。
【図７】他の構成のロールペーパーホルダーの全体図である。
【図８】他の構成のロールペーパーホルダーの全体図である。
【図９】他の構成のロールペーパーホルダーの全体図である。
【図１０】他の構成のロールペーパーホルダーの全体図である。
【発明を実施するための形態】
【００２４】
以下、本発明の実施の形態を図面に基づいて説明する。
図１は、ロールペーパー（例えば、トイレットペーパー）Ｐ
が装着されている既存のロールペーパーホルダー１ である。
ロールペーパーホルダー１は、壁材に固定される基板４の左右両端部に一対の支持板５、６
が設けられている。これら支持板５，６の前端部における内面対向位置には、凹部（ 図示せず）が形成され、これら凹部間に両端部に係合突起を有する支持軸７が着脱自由に横架されている。この支持軸７にはロールペーパーＰの中空芯が挿入されていて、ロールペーパーＰが回転可能になっている。
【００２５】
従って、新たなロールペーパーＰに取り替えるときには、前記支持軸７を凹部から取り外し、支持軸７を新たなロールペーパーＰの中空芯に挿入した後に、再度、支持軸７を凹部に装着する。また、前記ロールペーパーＰには、適宜の間隔で、破断しやすいようにミシン目が形成されていて、ペーパーの両端で引っ張ったとき、そのミシン目３０で破断するように作成されている。
【００２６】
また、両支持板５，６の間には、前記基板４の上部に揺動軸８が設けられていて、その揺動軸８には、上部カバー２が揺動可能に取り付けられている。そして、この上部カバー２はＲ状であり、その上部カバー２の重みで、ロールペーパーＰと接触している。尚、前記上部カバー２の揺動軸８は基板４に設けてもよいし、この上部カバー２の材質は合成樹脂、金属等であり、厚みは強度との関係で選定すればよい。
【００２７】
前記上部カバー２の前側には、ロールペーパーＰの幅よりやや広い上縁部２０ｂと下縁部（以下、支持部という）２０ａを有する略四角状の排出口２０が形成されている。尚、この上部カバー２における支持部２０ａの形成位置は、後述する指で挟着のペーパーを引っ張ったとき、上部カバー２がロールペーパーＰを押さえて、ロールペーパーＰの回転を阻止する位置である。
【００２８】
また、排出口２０の支持部２０ａの形状は直線状であってもよいが、より良好にミシン目から破断する形状は、例えば、図２に示すように、左端部２３ａと右端部２３ｂから、排出口２０の中心に向けて、傾斜角度θで、凸状の円滑な弓形（三日月）状に順次高くなるように形成されているのが望ましい。尚、前記支持部２０ａは、後記で詳述するが、ペーパーを引っ張ったとき支持されるが、ペーパーを破断する鋭利な形状ではない。
また、前記左端部２３ａ、右端部２３ｂから凸状の弓形状に替えて、例えば、直線状に順次高くなるように形成し、排出口２０の中心における幅Ｗの支持部２０ａを、凸状の弓形状に形成してもよい。
【００２９】
即ち、前記６支持部２０ａの形状は、ペーパーを引っ張ったとき、引張り力を受けるペーパーの幅Ｗにおいて、ペーパーは破断されず、且つ、支持部２０ａで支持する形状であり、ペーパーの材質や厚み等によって選定するが、最も簡便な直線、即ち、排出口の形状を長方形状であってもよいが、より優れているのは、前記したように、支持部２０ａの凸状の弓形状を、図２に示す左端部２３ａから右端部２３ｂにかけて凸状の弓形状であるが、その凸状の弓形状は  必ずしも左右対称である形状に限定されないし、ペーパー幅に対応せずに部分だけであってもよい。なお、その凸状の弓形状の具体的な曲率半径等は、ペーパーの材質等を考慮して、引っ張ったとき左右方向に移動せず且つ支持部で破断しないように選定する。
【００３０】
次に、前記構成のロールペーパーホルダー１を使用して、ロールペーパーに形成のミシン目３０から破断する操作について、ロールペーパーＰの下流に形成の排出口２０からのペーパー２８をミシン目３０で破断する作用を図３を参照して説明する。
先ず、ロールペーパーが、図１に示す状態で反時計方向に回転するように取り付けて、ロールペーパーＰからのペーパーの先端部を下から上に向けて、前記排出口２０を挿通させる。そして、この状態が、通常の待機状態である。
【００３１】
そして、片方の手の指先(例えば、親指と人差し指)等でペーパー２８を狭着して、使用する長さまで引っ張り出して、破断したい個所の１個のミシン目３０が、その指先(図示略)と前記排出口２０の支持部２０ａの間に来るまでロールペーパーＰを回転させて調整する。
【００３２】
次に、片手の指先で狭着されたペーパー２８を、例えば、排出口２０の左端部２３ａと右端部２３ｂを結ぶ直線に対する垂直線より中心側に偏心された引っ張り角α（図３）でペーパー２８を下傾斜方向に引っ張ると、先ず、上部カバー２は下方向に押圧されて、ロールペーパーＰの回転は阻止される。また、ペーパー２８には引張り力Ｆ１が作用する幅Ｗが形成される。
【００３３】
尚、支持部２０ａの形状が、従来のように、長方形状の排出されるペーパー２８の長手方向と垂直な直線であっても、ペーパーを掴んでほぼ垂直状に引っ張ると、ペーパーはミシン目３０から破断する。
しかし、指でペーパーを挟着して、中心方向の斜めに引っ張ると、ペーパーは支持部２０ａで中心方向（右方向）に寄って波形状（ペーパーの長手方向の断面が凹凸状）になり、支持部２０ａに平坦に密着されたペーパーに比べて、支持部２０ａにおけるペーパーの支持力は強くなると共に、そのペーパー２８に形成されているミシン目３０の箇所においても波状態になって、ミシン目３０の個所も強くなる。
【００３４】
即ち、ペーパーが波状になると、ペーパーの幅は短くなり、支持部２０ａとミシン目３０におけるペーパーの単位幅当たりにかかる引張り力が、指で狭着された個所に比して大きくなる。
その結果、支持部２０ａと指での狭着個所との間におけるペーパーの最も弱い個所は、ペーパー２８のミシン目３０ではなくなり、他の個所、例えば、指で狭着の個所となり、ミシン目３０以外の個所で破断する場合がある。
【００３５】
しかし、図３に示すように、排出口２０の左端部２３ａからの支持部２０ａの形状が、排出口２０の左右方向の中心に向けて、傾斜角度θで、凸状の弓形状又は直線状に、順次高くなるように形成され、且つ、破断しない鋭利な形状でないと、ペーパー２８の左縁部は中心方向（ペーパーの長手方向と垂直の右方向）に移動することなく、引張り力が作用するペーパーの幅（Ｗ）の支持部２０ａ（Ｘ）では、支持部２０ａに密着されたペーパーの幅で支持されて左右方向に移動しない状態となる。
この結果、引張り力は、支持部２０ａと指の狭着個所はほぼ同じとなり、ミシン目３０が形成されている個所が最も弱い個所となり、そのミシン目３０で破断される確実性が増す。
【００３６】
尚、前記はペーパー２８を片方の指で狭着して、図３に示す右下方向に、強く、一気に引っ張る操作であるが、ペーパー２８を指で狭着して、図３の右下方向とは反対の左下方向に、強く、一気に引っ張ると、指先と右端部の支持部２０ａの間で引張り力が作用し、その結果、最も弱いミシン目３０の右縁部から左縁部に向けて破断される確実性が増す。
【００３７】
以上のように、片手で、ペーパー２８を指で狭着して、右下方向、あるいは、左下方向に強く、一気に引っ張ると、上部カバー２の下方向の押圧によって、ロールペーパーＰは回転が阻止され、ペーパー２８に引張り力が作用する幅（Ｗ）における支持部２０ａの形状が直線であっても、ペーパーは支持されてミシン目３０から破断される。
しかし、特に、支持部２０ａの形状が凸状の弓形状であると、ペーパーは支持部２０ａにおいて、左右方向に移動しないで支持されるため、ペーパー２８を狭着の指先と支持部２０ａとはほぼ同じ支持力が作用し、その間における最も弱いミシン目３０の縁部から破断される確実性が増す。
【００３８】
次に、指先でペーパーをもって、ペーパー２８の排出方向に、即ち、排出口２０の左端部２３ａと右端部２３ｂを結ぶ直線に対して、ほぼ垂直方向に、強く、一気に引っ張る場合について説明する。
この場合にも、上部カバー２の下方向の押圧によって、ロールペーパーＰの回転は阻止され、指先で狭着されたペーパーの幅（Ｗ）に引張り力（Ｆ２）が作用する。
その引っ張り力が作用する支持部２０ａ（Ｙ）の形状は、図２に示す凸状の弓形状であり、ペーパー２８を、ペーパー２８の排出方向と平行の他に、ずれた左右方向に引っ張っても、引張り力が作用するペーパーの幅(Ｗ)における支持部２０ａにおいて、ペーパーは破断されず、且つ、左右方向に移動しないので、ペーパー２８が波状態（ペーパーの長手方向の断面が凹凸状）にならず、支持部２０ａでは密着された１枚のペーパー状態で支持されるので、ペーパーの最も弱いミシン目から破断される確実性が増す。
【００３９】
以上のように、支持部２０ａの全体の形状が直線状であってもミシン目で破断できるが、図２に示すように、左端部２３ａから右端部２３ｂにわたって凸状の弓形状であると、指で狭着されたペーパー２８を右下方向に、又は左下方向に、更には、下方向に、片手でペーパーを引っ張ると、より確実にミシン目３０から破断することができる。
【００４０】
尚、支持部２０ａの全体の形状は、指で狭着されたペーパー２８を右下方向にのみ引っ張ることを条件にするならば、あるいは、そのように引張り力が作用するように排出口２０の形状を選定するなら、左端部２３ａからペーパーが引張られる幅Ｗにおいて、支持部２０ａの形状を右上がりの凸状の弓形状又は直線状であればよい。
また、反対に、左下方向にのみ引っ張ることを条件にするならば、或いは、そのように引張り力が作用するように排出口２０の形状を選定するなら、支持部２０ａの全体の形状は、ペーパーが引張り力が作用する右端部２３ｂからの幅Ｗにおいて、左上がりの凸状の弓形状又は直線状であればよい。
更には、ペーパー２８の排出方向と平行の他に、その平行と少しずれた左右方向にのみ引っ張ることを条件とするなら、支持部２０ａのほぼ中心においてペーパーの引張り力が作用する幅Ｗで、ペーパーが左右に移動しない凸状の弓形状に形成すればよい。
【００４１】
即ち、本願発明の支持部２０ａの形状は、片方の手の指先で狭着のペーパー２８を下方向に引っ張ったとき、左端部２３ａから右端部２３ｂにいたる全体の形状を特定する必要はなく、引張り力が作用するペーパー２８の幅（Ｗ）の支持部２０ａにおいてのみ、ペーパー２８が破断されず、且つ、左右に移動せず、支持部２０ａに密着されたペーパー２８で、引張り力を支持するように、例えば、凸状の弓形状等に形成すれば、ミシン目３０で破断される確実性が増す。
【００４２】
次に、図４に示す排出口２０は、前記図２に示す支持部２０ａとは形状を異にする。
即ち、前記図２に示す支持部２０ａの形状は、左端部２３ａから右端部２３ｂにおいて、円滑な弓状であり、片方の手の指先で狭着のペーパー２８を引っ張ったとき、引張り力が作用するペーパー２８の幅（Ｗ）において、その幅（Ｗ）のペーパーは支持部２０ａで密着するが破断されず、且つ、ペーパー２８が左右に移動しない形状である。
【００４３】
一方、図４に示すように、引張り力が作用するペーパー２８の幅（Ｗ）の全範囲において、ペーパーは支持部２０ａに密着する必要はなく、密着しない個所がある形状であってもよい。
例えば、左端部２３ａから右端部２３ｂにいたる支持部２０ａの全体の形状は凸状の弓形状であるが、その凸状の弓形状の上縁部において、凹部(Ｂ)と滑らかな凸部（Ａ）で構成の波状に形成してもよい。尚、前記凸部（Ａ）は引張り力が作用するときペーパーと密着するが、凹部(Ｂ)は密着しない。
引張り力が作用するペーパー２８の幅（Ｗ）において、凹部(Ｂ)と凸部（Ａ）が形成されて波状の支持部２０ａであっても、ペーパー２８は左右に移動せず、且つ、その個所で破断せず、指で狭着している箇所とペーパーを支持する支持部２０ａはほぼ同じ引っ張り力で支持されれば、最も弱い、ミシン目３０で破断される。尚、前記波形状には、前記した支持部２０ａの正面形状の他に、ペーパーが密着する上縁（幅）において、滑り止め作用を有する僅かな凹凸を形成することを含む。
【００４４】
排出口２０における支持部２０ａの形状は、少なくとも、片方の手の指先で狭着のペーパー２８を引っ張ったとき、引張り力が作用するペーパー２８の幅（Ｗ）において、そのペーパーは凸部（Ａ）で破断せず、且つ、左右に移動しない形状であれば、片手でペーパーを引っ張ると、ミシン目３０で破断する可能性が高くなる。
【００４５】
尚、前記排出口２０の支持部２０ａの形状の他に、支持部２０ａの表面に細かい凹凸の波状を形成してペーパーの左右移動を防止したり、或いは、図５（Ａ）に示すように、支持部２０ａの左端部２３ａから右端部２３ｂに至る支持部２０ａの全体の形状が、傾斜角度θの傾斜状の直線であり、この形状の支持部２０ａにおいて、ペーパー２８を右下方向に引っ張ると、引張り力が作用するペーパー２８の幅Ｗは支持部２０ａで左右に移動することがないので、最も弱い、ミシン目で破断される。
【００４６】
また、図５(Ｂ)は、支持部２０ａの中央には、引張り力が作用するペーパー幅Ｗより大きめの凸状部２０ｄが形成されていて、その両端には左端部２３ａから右端部２３ｂに至る直線状の直線部２０ｃ、２０ｃが形成されている。この支持部２０ａの形状において、ペーパー２８を下方向に引っ張ると、ペーパー２８の幅Ｗは凸状部２０ｄで左右に移動することがないので、最も弱い、ミシン目で破断される。
また、図５（Ｃ）は、前記図５(Ｂ)の凸状部２０ｄの頂部に波状の凹凸部２０ｅが形成してあり、ペーパー２８を下方向に引っ張ると、引張り力が作用するペーパー２８の幅Ｗは凹凸部２０ｅで左右に移動することがないので、最も弱い、ミシン目で破断される。尚、前記波形状には、前記した支持部２０ａの正面形状の他に、ペーパーが密着する上縁（幅）において、滑り止め作用を有する僅かな凹凸を形成することを含む。
尚、本願の発明は、ペーパーが密着する上縁（幅）における支持部２０ａにおいて、ペーパーが横滑りを阻止する形状であれば良いので、支持部２０ａの形状は、凸状と波状等、種々の組み合わせで形成しても良い。
【００４７】
次に、図６は図１と異なり、ロールペーパーＰを底板５１に載置した状態である。
即ち、ロールペーパーＰは、必ずしも支持軸７に回転可能に取り付ける必要はなく、基板４と両側部の支持板５、６と前板５２及び底板５１で形成の収納箱に収納して、反時計方向に回転可能にセットすればよい。
尚、ロールペーパーＰの下流に形成される支持部２０ａの形状は、直線の他、前記した種々の形状（例えば、図２）と同じものが上部カバー２に形成してある。
そして、ロールペーパーＰからのペーパーの先端は、上部カバー２に形成の排出口２０を挿通され、必要の長さまで引き出して、支持部２０ａと指先の間にミシン目３０がある状態にした後に、ペーパー２８を指に挟着して一気に下方向に引っ張ると、上部カバー２に下向きの力がかかって、ロールペーパーＰは押さえられて、その回転は阻止されると共に、支持部２０ａで支持されたペーパーは切断されず、且つ、左右方向に移動することがないので、最も弱い、ミシン目３０で破断される。
【００４８】
次に、図７は、排出口２０が上部カバー２に形成されていなくて、ロールペーパーＰの下流である、例えば、前板５２に形成してあり、支持部２０ａの形状は直線の他、前記した種々の形状（例えば、図２）と同じものが形成してある。また、この支持部２０ａは、前記のように前板５２に孔として形成する他、前板５２の上縁に形成してもよい。即ち、支持部２０ａを上部カバー２以外の箇所に形成するものである。
また、ロールペーパーＰは反時計方向に回転可能に、基板４と両側部の支持板５、６と前板５２及び底板５１で形成の収納箱に収納してある。
また、上部カバー２は、ロールペーパーＰの上部に載置可能に形成され、ペーパー２８を引っ張っても、回転を阻止できる重さであるが、より回転阻止を図るためには、上部カバー２の回動部にバネ（例えば、ネジリコイルバネ）（図示略）を装着して、上部カバー２を下方向に付勢してロールペーパーＰの回転を阻止する。
【００４９】
次に、この図７に示すロールペーパーホルダーの使用について説明すると、ロールペーパーＰを、回転が反時計方向になるように収納箱に装着する。そして、ロールペーパーＰからのペーパー２８の先端部は排出口２０に挿通させて、必要の長さまで引き出して、支持部２０ａと指先の間にミシン目３０がある状態にした後に、ペーパー２８を指に挟着して一気に下方向に引っ張ると、ロールペーパーＰは上部カバー２の重み、或いはバネの付勢力により回転が阻止され、支持部２０ａで支持されても破断されず、且つ、左右方向に移動することがないので、最も弱い、ミシン目３０で破断される。
以上のように、ロールペーパーＰの回転阻止を上部カバー２によって構成することによって、排出口２０を上部カバー２とは異なる箇所に形成することもできる。
【００５０】
次に、前記の例示は、指に挟着のペーパーを下方向に引っ張る操作をするものであるが、上方に向けて引っ張る操作をしてもよい。図８に示すロールペーパーホルダーは、図７において排出口２０の支持部２０ａを下方向の凸状となるように形成してあると共に、ロールペーパーＰの回転が時計方向になるように収納箱に装着する。
そして、ロールペーパーＰからのペーパーの先端部は、下流の排出口２０に挿通させて、必要の長さまで引き出して、支持部２０ａと指先の間にミシン目３０がある状態にした後に、ペーパー２８を指に挟着して一気に上方向に引っ張ると、ロールペーパーＰは上部カバー２の重み、或いはバネ（例えば、ネジリコイルバネ）の付勢力により回転が阻止されると共に、支持部２０ａで支持されても破断されず、且つ、左右方向に移動することがないので、最も弱い、ミシン目３０で破断される。
【００５１】
尚、この図８においては、上部カバー２は必ずしも必要がない。ペーパー２８を一気に上方向に引っ張ると、ロールペーパーＰは前板５２側に引き寄せられることによって回転の抵抗として作用し、支持部２０ａで支持されても破断されず、且つ、左右方向に移動することがないので、最も弱い、ミシン目３０で破断される。
以上のように、本願発明のロールペーパーホルダーの種々の形態について、図１〜図８を参照して説明したが、ペーパーを下方向に引っ張るか上方向に引っ張るか、支持部２０ａを上部カバー２に形成するか他の箇所に形成するか等は、支持部２０ａの向きとロールペーパーＰの回転方向等を考慮して構成する。
【００５２】
次に、図９は、図１に示すロールペーパーホルダーと異なり、ロールペーパーＰの回転を阻止する上部カバー２がない。このロールペーパーホルダーにおいては、支持部２０ａをロールペーパーＰの下流側である前板５２に設けると共に、その支持部２０ａに隣接して、下流側にペーパー２８と接触可能な抵抗体６０を、ペーパー２８が接触し易いように下向きの傾斜状に備えてある。
尚、排出口の支持部２０ａの形状は、前記した直線状の他、例えば、図２に示したものと同じ形状のものであり、ペーパー２８が左右方向に移動しない、凸状の弓形状等である。また、前記抵抗体６０はペーパー２８を引っ張ったとき、ペーパー２８が接触して、ロールペーパーＰを回転させる引っ張り力が弱くなる、例えば、スポンジやゴム等の抵抗作用を備えるものを板に貼着する等のものを用いる。
【００５３】
この図９に示すロールペーパーホルダーの作用について説明すると、先ず、ロールペーパーＰの回転が反時計方向になるように収納箱に収納し、ロールペーパーＰからのペーパー２８の先端部を排出口２０から挿通させて、必要の長さまで引き出して、支持部２０ａと指先の間にミシン目３０がある状態にする。
そして、ペーパー２８を指に挟着して一気に下方向に引っ張ると、ペーパー２８は抵抗体６０に接触して引っ張り力が弱まって、ロールペーパーＰの回転は阻止されると共に、支持部２０ａで支持されても破断されず、且つ、左右方向に移動することがないので、最も弱い、ミシン目３０で破断される。
【００５４】
このように、ペーパー２８を引っ張るとき、ロールペーパーＰの回転阻止は抵抗体６０を設けることによっても達成できるので、ロールペーパーＰの回転阻止を図る前記上部カバー２は必ずしも必要ではない。
また、抵抗体６０は排出口２０の支持部２０ａの下流側に設けてあるが、上流側に設けてもよい。即ち、ペーパー２８を指に挟着して一気に引っ張ったとき、ペーパー２８は支持部２０ａで支持されると共に、ペーパーの引っ張り力を抑制できてロールペーパーの回転を阻止できる位置に抵抗体６０を配置すればよいので、抵抗体６０は支持部２０ａに隣接する上流側でも下流側であってよい。
【００５５】
また、前記ではペーパーを下方向に引っ張るものであるが、ロールペーパーＰの回転を時計方向に収納して上方向に引っ張るように、排出口２０、抵抗体６０を前記とは逆になるように構成すればよい。尚、このように上方向にペーパーを引っ張るときには、前記図８の説明において記載したように、ロールペーパーＰが前板５２と接触して回転阻止するので、抵抗体６０は必ずしも必要ではない。
また、抵抗体６０を備えるロールペーパーホルダーは、前記したように、ロールペーパーＰを収納箱に収納する方式であるが、図１に示すように支持軸７に回転可能に取り付ける方式であってもよい。
【００５６】
また、前記ロールペーパーホルダーは、適宜の間隔でミシン目が形成のロールペーパーに対しての説明であるが、紙（ペーパー）に限定されず、例えば、適宜の間隔でミシン目が形成の樹脂フィルムをロール巻きしたものに対しても適用できる。
また、前記ロールペーパーホルダーにおいて、ミシン目がないペーパー或いは樹脂フィルム等に対しては、切断刃を供えることによって容易に対処できる。
前記各実施の形態におけるロールペーパーホルダーは、ペーパー等を引っ張ることによって、支持部２０ａでロールペーパーの回転が阻止されると共にペーパー等は支持されて、ミシン目で破断するものである。しかし、かかるミシン目がないペーパー等に対しては、例えば、図６に示すロールペーパーホルダーにおいて、図１０に示すように、前記支持部２０ａの下流に、引っ張るペーパー等の角度に合わせた角度に、切断刃（のこぎり刃等）９０を備えることによって、ペーパー等は支持部２０ａで支持された状態で、切断刃９０で容易に切断できる。
【００５７】
以上のように、本願発明のロールペーパーホルダーは、ミシン目が適宜の間隔で形成されたロールペーパーＰに対して、片手で、一気に下方向にまたは上方向にペーパー２８を引っ張ることによって、ミシン目３０から破断できるというものであり、その要部は支持部２０ａでペーパーが破断されず、その支持部２０ａの形状が直線であると共にロールペーパーＰの回転を阻止することであるが、より確かにミシン目から破断させるには、支持部２０ａの形状をペーパーの左右方向への移動を禁止する、例えば、凸状の弓形状を有するのは望ましい。尚、その支持部２０ａの形状はペーパーが接触する全ての箇所において同じである必要はなく、部分的に、支持部２０ａにおいて、ペーパーの左右方向への移動を禁止する弓形状と波形状の組み合わせ等の形状を有していればよい。
また、ミシン目がないペーパーや樹脂フィルムにおいては、支持部２０ａの下流に切断刃９０を配置することによって、容易に切断できる。
また、本願発明のロールペーパーホルダーは、前記した例示の部品等を適宜組み合わせてロールペーパーホルダーを構成してもよいし、前記要部の機能を有する構成のロールペーパーホルダーは、本願の発明に包含されることは言うまでもない。
【符号の説明】
【００５８】
１     ロールペーパーホルダー
２     上部カバー
４     基板
５、６  支持板
７     支持軸
８     揺動軸
２０   排出口
２０ａ  支持部
２０ｂ  上縁部
２３ａ  左端部
２３ｂ  右端部
２８  ペーパー
５１  底板
５２  前板
６０  抵抗体
Ｐ     ロールペーパー
Ｗ  引張り力を受けるペーパーの幅
α     引っ張り角度
θ     傾斜角度
【図１】
2013078408.tif 000003
【図２】
2013078408.tif 000004
【図３】
2013078408.tif 000005
【図４】
2013078408.tif 000006
【図５】
2013078408.tif 000007
【図６】
2013078408.tif 000008
【図７】
2013078408.tif 000009
【図８】
2013078408.tif 000010
【図９】
2013078408.tif 000011
【図１０】
2013078408.tif 000012